(57)【特許請求の範囲】
【請求項１】
動画像を撮像する撮像手段と、
この撮像手段により撮像された動画像を外部に送信する送信手段と、
前記撮像手段による動画像の撮像中にトリガーの発生を検出する検出手段と、
この検出手段によりトリガーの発生が検出された場合、前記検出されたこと示す情報を撮影中の動画像に設定する設定手段と、
前記撮像手段による動画像の撮像後で前記送信手段による送信前、前記設定手段により前記情報が設定されている場合に、前記動画像に非公開情報を付加する情報付加手段と、
を備えることを特徴とする撮像装置。
【請求項２】
前記撮像手段により撮像された動画像を記憶する記憶手段を備え、
前記送信手段は、前記記憶手段に記憶された動画像を前記撮像手段による動画像の撮影終了に応答して外部に送信することを特徴とする請求項１記載の撮像装置。
【請求項３】
前記検出手段によりトリガーの発生が検出された場合に、前記情報付加手段によって付加された非公開情報を記憶させる記憶制御手段を更に備えることを特徴とする請求項２記載の撮像装置。
【請求項４】
操作手段を備え、
前記トリガーは、前記操作手段の操作に伴って発生する操作信号であることを特徴とする請求項１乃至３の何れかに記載の撮像装置。
【請求項５】
動画像を撮像する撮像手段と、この撮像手段により撮像された動画像を外部に送信する送信手段と、を備えた装置が有するコンピュータを、
前記撮像手段による動画像の撮像中にトリガーの発生を検出する検出手段、
この検出手段によりトリガーの発生が検出された場合、前記検出されたこと示す情報を撮影中の動画像に設定する設定手段、
前記撮像手段による動画像の撮像後で前記送信手段による送信前、前記設定手段により前記情報が設定されている場合に、前記送信手段により送信される前記動画像に非公開情報を付加する情報付加手段、
として機能させることを特徴とする撮像装置制御プログラム。
【請求項６】
動画像を撮像する撮像手段と、この撮像手段により撮像された動画像を外部に送信する送信手段と、を備えた撮像装置の制御方法であって、
前記撮像手段による動画像の撮像中にトリガーの発生を検出する検出ステップと、
この検出ステップにてトリガーの発生が検出された場合、前記検出されたこと示す情報を撮影中の動画像に設定する設定ステップと、
前記撮像手段による動画像の撮像後で前記送信手段による送信前、前記設定ステップにより前記情報が設定されている場合に、前記送信手段により送信される前記動画像に非公開情報を付加する情報付加ステップと
を含むことを特徴とする撮像制御方法。
【発明の詳細な説明】
【技術分野】
【０００１】
本発明は、動画像を撮像する撮像装置、及びこの撮像装置に用いられる撮像装置制御プログラム及び撮像制御方法に関する。
【背景技術】
【０００２】
従来、無線ＬＡＮ機能を備えたデジタルカメラが提案されるに至っている（特許文献１、２参照）。更に今日においては、カメラを外部ネットワークと接続可能なＰＣ（パーソナルコンピュータ）に接続することにより、当該カメラで撮影した動画像を簡単な操作で、外部ネットワーク上の所定のサーバーに設置された動画共有サイトにアップロード転送できる機能を備えたデジタルカメラも出現するに至っている。
【０００３】
このデジタルカメラは、所定の撮影モードを選択して動画撮影を行うと、撮影された動画像ファイルは、自動的にメモリ媒体の専用フォルダに格納される。そして、カメラをＰＣに接続した際には、専用のアップロードソフトが起動されて、前記専用フォルダに格納された動画像ファイルが前記所定の共有サイトに、自動的に送信（アップロード）される。
【０００４】
したがって、前記無線ＬＡＮ機能を備えたデジタルカメラと前記動画像のアップロード転送機能を備えたデジタルカメラとを組み合わせることにより、撮影したその場で、動画像ファイルを無線ＬＡＮのＡＰ（アクセスポイント）を介して、動画共有サイト等に自動的に送信（アップロード）することも可能となる。
【先行技術文献】
【特許文献】
【０００５】
【特許文献１】特開２００７−６１９０号公報
【特許文献２】特開２００５−１９１６２２号公報
【発明の開示】
【発明が解決しようとする課題】
【０００６】
しかしながら、動画撮影にあっては静止画撮影と異なり、撮影者は撮影中に送信（公開）を意図しないシーンを撮影してしまう可能性がある。したがって、前述のように撮影したその場で、動画像ファイルを外部に自動的に送信できるようにしてしまうと、撮影者が公開したくないシーンを含む動画像ファイルが自動的に送信されてしまうという懸念が生じる。
【０００７】
本発明は、かかる従来の課題に鑑みてなされたものであり、撮影している動画像について、外部に送信して公開するか否かを撮影者が任意に設定できるようにした撮像装置、撮像装置制御プログラム及び撮像制御方法を提供することを目的とする。
【課題を解決するための手段】
【０００８】
前記課題を解決するために本発明は、動画像を撮像する撮像手段と、この撮像手段により撮像された動画像を外部に送信する送信手段と、前記撮像手段による動画像の撮像中にトリガーの発生を検出する検出手段と、この検出手段によりトリガーの発生が検出された場合、前記検出されたこと示す情報を撮影中の動画像に設定する設定手段と、前記撮像手段による動画像の撮像後で前記送信手段による送信前、前記設定手段により前記情報が設定されている場合に、前記動画像に非公開情報を付加する情報付加手段と、を備えることを特徴とする。
【発明の効果】
【０００９】
本発明によれば、撮影している動画像について、撮影者が任意に外部に送信して公開するか否かを設定することができる。
【図面の簡単な説明】
【００１０】
【図１】（Ａ）は本発明の各実施の形態に共通するデジタルカメラの正面図、（Ｂ）は背面図、（Ｃ）は側面透視図である。
【図２】同デジタルカメラの回路構成を示すブロック図である。
【図３】画像＆音声メモリ媒体内のディレクトリの構成例を示す図である。
【図４】設定データテーブル例を示す図である。
【図５】動画像の送信時に、共有サービスにＸＭＬ形式などで送信される動画像情報データの例を示す図である。
【図６】本発明の第１の実施の形態における処理手順を示すフローチャートである。
【図７】本発明の第１の実施の形態における処理手順を示すフローチャートである。
【発明を実施するための形態】
【００１１】
以下、本発明の一実施の形態を図に従って説明する。図１（Ａ）は本発明の一実施の形態に係るデジタルカメラ１の正面図、（Ｂ）は背面図、（Ｃ）は側面透視図である。このデジタルカメラ１の本体２には、その上面部に半押し機能を備えたレリーズ釦（シャッタースイッチ）３と電源スイッチ４とが配置されており、正面部にはグリップ部５、ストロボ６及び撮像レンズ部の受光窓７が配置されている。また、背面部には、動画撮影モード、静止画撮影モード、及び、再生モードを切り替えるためのモード切替スイッチ８、ズーム操作キー９、カーソルキー１０、決定／ＯＫキー１１、ＤＩＳＰキー１２、メニューキー１３、動画（ムービー）撮影開始／終了キー１６、フォルダ変更／送信停止キー１７及び電子ファインダとしても機能するＬＣＤからなる表示部１４が配置されているとともに、メモリ媒体と電池とを収納するメモリ媒体／電池収納部１５が設けられている。また、本体２の内部には、また、ミラー（又はプリズム）１８、レンズ群１９及びＣＣＤ等で構成される電子撮像センサ２０等が配置されている。
なお、後述するフローチャートにおいて説明する「選択」あるいは「設定」は、カーソルキー１０、決定／ＯＫキー１１、ＤＩＳＰキー１２、メニューキー１３を適宜操作することによりなされる。
【００１２】
図２は、デジタルカメラ１の回路構成を示すブロック図である。このデジタルカメラ１は、ＡＥ、ＡＷＢ、ＡＦ等の一般的な機能を有するものであり、ズームレンズ、フォーカスレンズで構成される前記レンズ群１９を有している。このレンズ群１９の光軸上には電子撮像センサ２０が配置されており、前記レンズ群１９は、モーター等を有する駆動部２１によって駆動される。
【００１３】
このデジタルカメラ１全体を制御する制御回路２２は、ＣＰＵ及びその周辺回路で構成されており、プログラムメモリ２３に格納されているプログラムに基づき、データメモリ２４をワークエリアとして使用しつつ各部を制御する。この制御回路２２には、撮影制御部２５が接続されている。撮影制御部２５は、制御回路２２が発生するタイミング信号に基づき、電子撮像センサ２０を駆動するとともに、測光／測距センサ３３より測光／測距部３４を介して入力される測光データ及び測距データに基づき、前記駆動部２１及び映像信号処理部２６を制御する。
【００１４】
前記電子撮像センサ２０の受光面には、レンズ群１９によって被写体が結像される。電子撮像センサ２０は、撮影制御部２５によって駆動され、被写体の光学像に応じたアナログの撮像信号を映像信号処理部２６へ出力する。映像信号処理部２６は、電子撮像センサ２０の出力信号に含まれるノイズを相関二重サンプリングによって除去するＣＤＳ回路や、ノイズが除去された撮像信号をデジタル信号に変換するＡ／Ｄ変換器等から有するとともに、入力した撮像信号に対しペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。映像信号処理部２６で変換されたＹＵＶデータは順次画像メモリ２７に格納されるとともに、静止画撮影モード、及び、動画撮影モードでは１フレーム分のデータ（画像データ）が蓄積される毎にビデオ信号に変換され、表示制御部２８を介して前記表示部１４へ送られてスルー画像として画面表示される。したがって、このとき表示部１４は電子ファインダ２９として機能する。なお、表示部１４を電子ファインダ２９として機能させる際には、その中央部にフォーカス枠を表示させ、このフォーカス枠内をＡＦエリアとして、ＡＦがなされる。
【００１５】
そして、静止画撮影モードにおいては、前記レリーズ釦３に対する操作をトリガとして、制御回路２２は、電子撮像センサ２０、撮影制御部２５、及び映像信号処理部２６に対してスルー画撮影モードから静止画撮影モードへの切り替えを指示し、この静止画撮影モードによる撮影処理により得られ画像メモリ２７に一時記憶された画像データは、圧縮符号化・伸張復号部３０で圧縮及び符号化され、所定のフォーマットの静止画ファイルとして、画像＆音声メモリ媒体３１（または後述するＨＤＤ記憶装置４６の磁気ディスク４８）に記録される。
【００１６】
また、動画撮影モードにおいては、１回目の動画撮影開始／終了キー１６と２回目の動画撮影開始／終了キー１６の操作の間に、画像メモリ２７に順次記憶される複数の画像データが圧縮符号化・伸張復号部３０で順次圧縮され、動画像ファイルとして画像＆音声メモリ媒体３１（または後述するＨＤＤ記憶装置４６の磁気ディスク４８）に記録される。この画像＆音声メモリ媒体３１（または磁気ディスク４８）に記録された静止画ファイル及び動画像ファイルは、ＰＬＡＹ・モードにおいてユーザの選択操作に応じて圧縮符号化・伸張復号部３０に読み出されて伸張及び復号化され、ＹＵＶデータとして展開された後、表示部１４に表示される。したがって、このとき表示部１４は画像モニター３２として機能する。
【００１７】
前記プログラムメモリ２３には、制御回路２２に前記各部を制御させるための各種のプログラム、例えばＡＥ、ＡＦ、ＡＷＢ制御用のプログラムや、データ通信用プログラム、さらには、後述するフローチャートに示す処理を実行するためのプログラム等の各種のプログラム等が格納されている。また、制御回路２２には、操作入力部３５が入力回路３６を介して接続されている。操作入力部３５には、前記レリーズ釦３や電源スイッチ４等の図１に示したスイッチやキー群等が設けられている。
【００１８】
また、このデジタルカメラ１は、前記動画撮影モードにおいて、周囲音を記録する録音機能を備えており、このため周囲音を検出するマイク３９が設けられている。このマイク３９からの音声信号は、アンプ４０で増幅され、Ａ／Ｄ変換器４１でデジタル変換され、音声メモリ４２に格納される。この音声メモリ４２に格納された音声データは、前記圧縮符号化・伸張復号部３０で圧縮される。制御回路２２は、この圧縮音声データと前記圧縮動画データとを含む音声付き動画像ファイルを生成して画像＆音声メモリ媒体３１（または後述するＨＤＤ記憶装置４６の磁気ディスク４８）に記録する。この画像＆音声メモリ媒体３１（磁気ディスク４８）に記録された動画像ファイルの音声データは、再生モードにおいてユーザの選択操作に応じて圧縮符号化・伸張復号部３０に読み出されるとともに伸張及び復号化される。この伸張及び復号化された音声データは、Ｄ／Ａ変換器４３でアナログ信号に変換され、アンプ４４を介してスピーカー４５に供給されて音声として再生される。
【００１９】
また、このデジタルカメラ１は、外部入出力インタフェース３８を介して制御回路２２に接続された外部入出力端子３７を備えている。この外部入出力端子３７には、ＰＣ等の外部機器７０を接続することが可能である。外部機器は７０は、ゲートウェイＧＷ及びインターネット７１を介して、サーバー装置７２に接続可能であり、サーバー装置７２は動画像ファイルを格納する画像データベース７３接続されている。更に、このデジタルカメラ１は、通信インタフェース７４を介して制御回路２２に接続された無線ＬＡＮ通信部７５を有している。したがって、このデジタルカメラ１は、無線ＬＡＮ通信部７５を外部の無線ＡＰ７６に接続することにより、ＰＣ等の外部機器７７を接続することが可能であり、このＰＣ等の外部機器７７は、ゲートウェイＧＷ及びインターネット７１を介して、サーバー装置７２に接続可能である。
【００２０】
一方、ＨＤＤ記憶装置４６は、ＨＤＤ・ＩＦ４７を介して制御回路２２に接続されている。ＨＤＤ記憶装置４６は、前記磁気ディスク４８を有するとともに、モータ４９、モータドライバ５０、マイコン部５１、ＶＣＭ５２、ヘッドアンプ５３、リード／ライトチャンネル５４、ＨＤＤ制御部５５等を有している。なお、時計回路７８は、現在時刻を計時して制御回路２２に供給するとともに、録画時間を計時するタイマーとして機能するものである。
【００２１】
また、制御回路２２には、画像・音声の特徴抽出／認識用データメモリ５６が画像・音声の特徴抽出／認識処理部５７を介して接続されている。したがって、制御回路２２は、画像・音声の特徴抽出／認識処理部５７を制御して、前記電子撮像センサ２０により取り込まれた画像、及び前記マイク３９により取り込まれた音声の特徴を抽出するとともに認識することができ、画像・音声の特徴抽出／認識用データメモリ５６は、これら抽出及び認識された画像の特徴や音声の特徴等を記憶する。また、制御回路２２の制御下で画像・音声の特徴抽出／認識処理部５７が抽出あるいは抽出した特徴の記述データは、圧縮符号化・伸張復号部３０で圧縮符号化されて画像＆音声メモリ媒体３１に記憶される。したがって、画像＆音声メモリ媒体３１には、画像メモリ２７及び音声メモリ４２側から入力された画像／音声データ３１ａと、画像・音声の特徴抽出／認識処理部５７側から入力された特徴記述データ３１ｂとが記憶される。
【００２２】
図３は、前記画像＆音声メモリ媒体３１（もしくは、磁気ディスク４８）内のディレクトリの構成例を示す図である。図示のように、ＤＣＦ規格で画像ファイルを格納するＤＣＩＭフォルダ３１０、ＤＰＯＦ規格でＤＰＯファイルを格納するＭＩＳＣフォルダ３１１が設けられる。そして、ＤＣＩＭフォルダ３１０内の各フォルダ（“１００ＣＡＳＩ”フォルダ３１２〜“１０４＿ＺＺＺＭ”フォルダ３１６）にそれぞれ動画像ファイル“ＣＩＭＧ００２．ＡＶＩ”３２２〜“ＣＩＭＧ００１２．ＭＯＶ”３２４を格納し、ＭＩＳＣフォルダ３１１には、自動プリントファイル“ＡＵＴＯＰＲＩＮＴ．ＭＲＫ”３１７、ＵＮＩＣＯＤＥ文字記述ファイル“ＵＮＩＣＯＤＥ．ＭＲＫ”３１８、自動送信ファイル“ＡＵＴＯＸＦＥＲ．ＭＲＫ”３１９、自動再生ファイル“ＡＵＴＯＰＬＡＹ．ＭＲＫ”３２０を格納する。
【００２３】
図４は、前記プログラムメモリ２３に格納されている動画像送信ソフト（アップロードソフト）内、及びプログラムメモリ２３に記憶されている設定データテーブル例を示す図である。この設定データテーブル２３１には、「ＸＸＸ動画共有サービス」、「ＹＹＹ動画共有サービス」、「ＺＺＺ動画」・・・等のサービス名／サイト名毎に、「サービスの要件情報」、「通信設定情報」、「通信動画の仕様」が登録されている。「サービスの要件情報」とは送信対象となるアップロードサイトのＵＲＬ、ＡＰＩ設定情報・・・等であり、「通信設定情報」はＨＴＴＰアプリＵｓｅｒ  Ａｇｅｎｔ文字列、専用フォルダ設定・・・等であり、「送信動画像の仕様」は圧縮符号化形式、画像サイズ・・・等である。また、通信設定情報内に設定される専用フォルダ設定には、図３を用いて説明したＤＣＩＭフォルダ３１０内のフォルダ（図３に図示された“１０２ＸＸＸＴＢ”フォルダ３１４、“１０３＿ＹＹＹＭフォルダ”３１５、“１０４＿ＺＺＺＭフォルダ”３１６）が設定される。
【００２４】
なお、図５は、動画像の送信（アップロード）時に、共有サービスにＸＭＬ形式などで送信される動画像情報データの例を示す図である。
【００２５】
図６は、本実施の形態の処理手順を示すフローチャートであり、制御回路２２はプログラムメモリ２３に格納されているプログラムに基づき、このフローチャートに示すように処理を実行する。先ず、ユーザによる操作入力部３５での操作により、動画撮影モードが設定されているか否かを判断する（ステップＳ１０１）。動画撮影モードが設定されていない場合には、再生モード、設定モードなど、その他のモード処理へ移行する（ステップＳ１０２）。
【００２６】
動画撮影モードが設定されたならば、操作に応じて動画撮影モードにおける撮影条件、画像サイズ、及び、画質等や、サービス（「サービス名／サイト名」（図４の設定データテーブル２３１参照））選択するとともに、画像＆音声メモリ媒体３１に設けられている“１００ＣＡＳＩ”フォルダ３１２〜“１０４＿ＺＺＺＭ”フォルダ３１６から何れかのフォルダを選択する（ステップＳ１０３）。次に、このステップＳ１０３で選択された内容に応じて、前記設定データテーブル２３１から、圧縮符号化形式、画像サイズ、画質、時間などを読み出して設定する（ステップＳ１０４）。
【００２７】
また、測光処理、ＷＢ処理を実行するとともに（ステップＳ１０５）、ズーム処理、ＡＦ処理を実行して（ステップＳ１０６）、映像信号を表示部１４に出力し、その映像信号に基づく被写体像をスルー画像として表示する（ステップＳ１０７）。これにより、表示部１４には、ＡＦされることによって被写体にピントがあったスルー画像が表示部１４に表示され、ユーザはこの表示部１４に表示されたスルー画像を見ながら、このデジタルカメラ１の向きを調整する等して動画撮影開始チャンスを伺うことになる。
【００２８】
引き続き、動画撮影中であるか否かを判断し（ステップＳ１０８）、動画撮影中でない場合には、動画撮影の開始操作があったか否か、つまり１回目の動画撮影開始／終了キー１６の操作があったか否かを判断する（ステップＳ１０９）。動画撮影の開始操作がない場合には、ステップＳ１０５に戻り、動画撮影の開始操作があるまでステップＳ１０５〜Ｓ１０９のループを繰り返す。
【００２９】
このループ実行中に動画撮影の開始操作がなされると、ステップＳ１０９からＳ１１０に進み、動画撮影の開始処理を実行する（ステップＳ１１０）。そして、電子撮像センサ２０から所定のフレームレートで順次取り込んだ映像信号を圧縮符号化・伸張復号部３０、及び、表示部１４に出力して、動画像の圧縮符号化を実行するとともに、表示部１４に被写体像をスルー表示する（ステップＳ１１１）。
【００３０】
次に、予め送信専用モード又は本動画像の格納先として送信専用フォルダ（図３の“１０２ＸＸＸＴＢ”フォルダ３１４、“１０３＿ＹＹＹＭフォルダ”３１５、“１０４＿ＺＺＺＭフォルダ”３１６の何れか）が選択されているか否かを判断する（ステップＳ１１２）。これらが選択されていない場合には、前記ステップＳ１１１で圧縮符号化された動画像データを順次ファイル化し、画像＆音声メモリ媒体３１（もしくは、磁気ディスク４８）内の一般フォルダに記録する（ステップＳ１１３）。また、予め送信専用モード又は送信専用フォルダが選択されている場合には、前記ステップＳ１１１で圧縮符号化された動画像データをファイル化し、画像＆音声メモリ媒体３１内の対応するフォルダに記録する（ステップＳ１１４）。
【００３１】
次に、動画像を格納すべきフォルダの変更、または、アップロードの停止操作があったか否か、すなわちフォルダ変更／送信停止キー１７が操作されたか否かを判断する（ステップＳ１１５）。フォルダ変更／送信停止キー１７が操作されない場合には、動画撮影の終了操作つまり２回目の動画撮影開始／終了キー１６の操作があったか否か、又は前記時計回路７８で計時されている時間に基づいて、記録可能な時間が経過したか否かを判断する（ステップＳ１１６）。このステップＳ１１６の判断がＮＯである場合には、動画撮影を継続して（ステップＳ１１８）、ステップＳ１０５からの処理を繰り返し、これにより動画像ファイルが順次フォルダに記憶されて動画撮影が進行することとなる。
【００３２】
このように動画撮影を継続している状態において、撮影者は、自身が送信を意図しないシーンを記録しそうと判断した場合、フォルダ変更／送信停止キー１７を操作すると、ステップＳ１１５の判断がＹＥＳとなる。したがって、このステップＳ１１５からステップＳ１１７に進み、フォルダ変更／送信停止のＦＬＡＧ（フラグ）を記憶する。すなわち、動画像ファイルを記憶するフォルダを送信専用フォルダから他のフォルダに変更し（なお、変更したフォルダへの動画像ファイルの記録に関しては後述するステップＳ１２２で実行）、動画像ファイルを記憶するフォルダを送信専用フォルダから他のフォルダに変更しない場合には、当該送信専用フォルダに送信停止のＦＬＡＧを記憶させる。
【００３３】
そして、動画撮影の終了操作つまり２回目の動画撮影開始／終了キー１６の操作があるか、又は前記時計回路７８で計時されている録画時間が終了すると、ステップＳ１１６からステップＳ１１９に進んで、動画撮影の終了処理を実行する。この動画撮影の終了処理に際しては、２回目の動画撮影開始／終了キー１６の操作があった時点までの動画像データの符号化処理、ファイル化、及び、画像＆音声メモリ媒体３１内のフォルダへの記録処理を完了したか否かをチェックする（ステップＳ１２０）。
【００３４】
この符号化処理、メモリ記録処理を完了したならば、前記フォルダ変更／送信停止のＦＬＡＧが記憶されているか否かを判断する（ステップＳ１２１）。フォルダ変更／送信停止のＦＬＡＧが記憶されていない場合には、ステップＳ１２２の処理を実行することなく、ステップＳ１２３に進む。
【００３５】
しかし、ステップＳ１２１の判断がＹＥＳであって、フォルダ変更／送信停止のＦＬＡＧが記憶されている場合には、送信専用フォルダに記憶された動画像ファイルを、前記ステップＳ１１７で変更されたフォルダに移動して保存し、また、前記ステップＳ１１７でフォルダが変更されることなく、送信停止のＦＬＡＧが記憶されている場合には、前記選択フォルダ（送信専用フォルダ）を情報非公開に設定する（ステップＳ１２２）。
【００３６】
次に、表示部１４にて「撮影した動画像は○○フォルダに保存されました。ＯＫ？（Ｙ／Ｎを入力）」の旨の確認プロンプト表示を行う（ステップＳ１２３）。この確認プロンプト表示に応じて、ＹＥＳ（ＯＫ）が入力されたか否かを判断し（ステップＳ１２４）、入力されない場合には、「保存フォルダを変更しますか？（Ｙ／Ｎを入力）を」のプロンプト表示を行う（ステップＳ１２５）。このプロンプト表示に応じて、ＹＥＳ（フォルダ変更）が入力されたか否かを判断する（ステップＳ１２６）。この入力があった場合には、操作に応じてフォルダを選択し、フォルダを移動して動画像データをファイル化して保存し（ステップＳ１２７）、ステップＳ１２３に戻る。
【００３７】
そして、ＹＥＳ（ＯＫ）が入力されて、次のステップＳ１２４の判断がＹＥＳとなると、このステップＳ１２４からステップＳ１２８に進み、メモリの選択フォルダに記憶された動画像ファイル、つまり送信専用フォルダに記憶させた動画像ファイルを通信インタフェース７４と無線ＬＡＮ通信部７５、又は外部入出力インタフェース３８と外部入出力端子３７を介して外部に送信する（ステップＳ１２８）。
【００３８】
これにより、撮影終了に伴って撮影された動画像ファイルが、ＰＣ等の外部機器７７やサーバー装置７２に自動送信される。また、サーバー装置７２に送信された場合には、画像データベース７３に格納されて不特定多数の者がダウンロードして観賞することが可能となる。しかし、このステップＳ１２８で送信される動画ファイルは、送信専用フォルダに記憶されているもののみであり、前述したステップＳ１１２及びステップＳ１２７での処理が実行されることにより、送信専用フォルダに記憶されている動画ファイルは、
（１）撮影中にフォルダ変更／送信停止キー１７が操作されず、撮影後の操作によってもフォルダ変更されなかった動画ファイル、
（２）撮影中にフォルダ変更／送信停止キー１７が操作されたが、その後撮影者が送信を許容し、撮影後の操作によって記憶先を送信専用フォルダに変更した動画ファイル、
（３）撮影中にフォルダ変更／送信停止キー１７が操作されたが、そのまま送信専用フォルダ記憶され、情報非公開に設定された動画ファイル、
のいずれかである。
【００３９】
したがって、（１）及び（２）の場合、撮影者が送信を意図しないシーンを含む動画像ファイルが外部に送信されることがなくなる。
【００４０】
また、（３）の場合、動画ファイルの送信はなされるが、情報非公開に設定されていることから、撮影者が送信を意図しないシーンが含まる動画像が無条件で公開されることが無いため、公開をも制限することができる。
【００４１】
また、動画撮影中にフォルダ変更／送信停止キー１７が操作されても、動画撮影自体は継続されて、送信専用フォルダ以外の他のフォルダに記憶されることから、支障を来すことなく、動画撮影を行うことができる。
【００４２】
図７は、本発明の他の実施の形態における処理手順を示すフローチャートであり、動画撮影を行いつつ動画像データを外部に送信するようにしたものである。このフローチャートにおいて、ステップＳ２０１〜Ｓ２１１の処理は、前述した図６のフローチャートにおけるステップＳ１０１〜Ｓ１１１と同一の処理である。
【００４３】
しかし、ステップＳ２１１に続くステップＳ２１２においては、アップロードの停止操作中となったか否か、すなわちフォルダ変更／送信停止キー１７が操作中となった否かを判断する。このステップＳ２１２の判断がＮＯであって、フォルダ変更／送信停止キー１７が操作中でない場合には、前記ステップＳ１１１で圧縮符号化された動画像データを画像＆音声メモリ媒体３１内の選択されたフォルダにファイル化・記録するのみならず、この動画像データを通信インタフェース７４と無線ＬＡＮ通信部７５、又は外部入出力インタフェース３８と外部入出力端子３７を介して外部に送信する（ステップＳ２１４）。これにより、撮影中において動画像データが順次自動送信されることとなる。
【００４４】
つまり、この実施の形態においては、動画撮影中に動画像データが選択フォルダにファイル化・記録されるのみならず、動画撮影と同時進行でその動画像データが外部に送信されていく。
【００４５】
そして、動画撮影の終了操作つまり２回目の動画撮影開始／終了キー１６の操作があったか否か、又は前記時計回路７８で計時されている録画時間が終了したか否かを判断する（ステップＳ２１５）。このステップＳ２１５の判断がＮＯである場合には、動画撮影を継続して（ステップＳ２１６）、ステップＳ２０５からの処理を繰り返し、これにより動画像データがファイル化され順次フォルダに記憶されるとともに、外部に送信されつつ動画撮影が進行することとなる。
【００４６】
このように動画撮影を継続している状態において、撮影者が送信を意図しないシーンを含む動画を撮影しそうな場合には、撮影者がフォルダ変更／送信停止キー１７を操作することにより、ステップＳ２１２の判断がＹＥＳとなる。したがって、このステップＳ２１２からステップＳ２１３に進み、フォルダ変更／送信停止のＦＬＡＧ（フラグ）を記憶するのみならず、前記通信インタフェース７４と無線ＬＡＮ通信部７５、又は外部入出力インタフェース３８と外部入出力端子３７を介した画像データの送信を停止する。
【００４７】
したがって、撮影者が送信を意図しないシーンが撮影された場合には、その間フォルダ変更／送信停止キー１７を押下することにより、外部への送信を未然に防止することができる。
【００４８】
そして、動画撮影の終了操作つまり２回目の動画撮影開始／終了キー１６の操作があるか、又は前記時計回路７８で計時されている録画時間が終了すると、ステップＳ２１５からステップＳ２１７に進んで、動画撮影の終了処理を実行する。この動画撮影の終了処理に際しては、２回目の動画撮影開始／終了キー１６の操作があった時点までの動画像データの符号化処理、ファイル化、及び、画像＆音声メモリ媒体３１内のフォルダへの記録処理を完了したか否かをチェックする（ステップＳ２１８）。
【００４９】
この符号化処理、メモリ記録処理を完了したならば、前記フォルダ変更／送信停止のＦＬＡＧが記憶されているか否かを判断する（ステップＳ２１９）。フォルダ変更／送信停止のＦＬＡＧが記憶されていない場合には、ステップＳ２２０の処理を実行することなく、ステップＳ２２１に進む。しかし、ステップＳ２２１の判断がＹＥＳであって、フォルダ変更／送信停止のＦＬＡＧが記憶されている場合には、メモリの選択フォルダに記憶された動画像ファイルを、変更されたフォルダに移動して保存し、またフォルダ変更しない場合には前記選択フォルダを情報非公開に設定する（ステップＳ２２０）。
【００５０】
次に、表示部１４にて「撮影した動画像は○○フォルダに保存されました。ＯＫ？（Ｙ／Ｎを入力）」の旨の確認プロンプト表示を行う（ステップＳ２２１）。この確認プロンプト表示に応じて、ＹＥＳ（ＯＫ）が入力されたか否かを判断し（ステップＳ２２２）、入力されない場合には、「保存フォルダを変更しますか？（Ｙ／Ｎを入力）を」のプロンプト表示を行う（ステップＳ２２３）。このプロンプト表示に応じて、ＹＥＳ（フォルダ変更）が入力されたか否かを判断する（ステップＳ２２４）。この入力があった場合には、操作に応じてフォルダを選択し、フォルダを移動して動画像ファイルを保存し（ステップＳ２２５）、ステップＳ２２１に戻る。そして、ＹＥＳ（ＯＫ）が入力されて、次のステップＳ２２２の判断がＹＥＳとなると、このフローチャートに従った処理を終了する。
【００５１】
したがって、実施の形態においては、フォルダ変更／送信停止キー１７の操作に基づく操作信号をトリガーとして、外部への動画像ファイルの送信を停止するようにしたが、動画像データの外部への送信停止トリガーは、キー操作基づく信号に限らず、カメラの振動検出信号や音声の検出信号であってもよく、また、画像・音声の特徴抽出／認識処理部５７で認識された顔画像情報に基づき、肖像権を考慮して動画像データの送信を停止するようにしてもよい。
【００５２】
また、本発明は実施の形態に示した外観構成のデジタルカメラ１に限らず、如何なる外観構成のデジタルカメラであっても適用することができる。また、実施の形態においては、本発明をデジタルカメラに適用するようにしたが、カメラに限らず動画撮像機能を備えた携帯電話等の各種機器にも本発明を適用することができ、業務用のＴＶカメラに適用することにより、公開に不適切な動画が放送されてしまう不都合を防止することも可能となる。
【符号の説明】
【００５３】
１    デジタルカメラ
２    本体
１０    カーソルキー
１１    決定／ＯＫキー
１２    ＤＩＳＰキー
１３    メニューキー
１４    表示部
１６    動画撮影開始／終了キー
１７    フォルダ変更／送信停止キー
１９    レンズ群
２０    電子撮像センサ
２３    プログラムメモリ
２４    データメモリ
２５    撮影制御部
２８    表示制御部
２９    電子ファインダ
３７    外部入出力端子
３８    外部入出力インタフェース
７０    外部機器
７１    インターネット
７２    サーバー装置
７３    画像データベース
７４    通信インタフェース
７５    無線ＬＡＮ通信部
７６    無線ＡＰ
７７    外部機器
７８    時計回路
【図１】
0005672330.tif 000002
【図２】
0005672330.tif 000003
【図３】
0005672330.tif 000004
【図４】
0005672330.tif 000005
【図５】
0005672330.tif 000006
【図６】
0005672330.tif 000007
【図７】
0005672330.tif 000008